(57)【要約】      （修正有）【課題】少量の試料で簡易に砂質土の最大密度計測を計測することができる砂質土の最大密度計測方法を提供する。【解決手段】この砂質土の最大密度計測方法は、試料用砂質土を投入した容器１に遠心力を作用させて試料用砂質土を容器１内で締固め、締め固めた試料用砂質土の体積を計測し、試料用砂質土の質量及び体積から前記試料用砂質土の最大密度を求めることにより、少量の試料で簡易に砂質土の最大密度を計測することができる。【選択図】図４
2020100954.tif 000002
【特許請求の範囲】
【請求項１】
試料用砂質土の質量を計測するとともに、締め固めた前記試料用砂質土の体積を計測し、前記試料用砂質土の質量及び体積から前記試料用砂質土の最大密度を求める砂質土の最大密度計測方法において、
前記試料用砂質土を投入した容器に遠心力を作用させて前記試料用砂質土を容器内で締固めることを特徴とする砂質土の最大密度計測方法。
【発明の詳細な説明】
【技術分野】
【０００１】
本発明は、主に改良地盤の強度測定に必要な砂質土の最大密度計測方法に関する。
【背景技術】
【０００２】
薬液注入による改良地盤の強度は、薬液シリカ濃度によって異なるため、施工前に配合試験を行い、注入する薬液のシリカ濃度を決定する。
【０００３】
その際、薬液注入による改良地盤の強度は、砂質土の密度によっても異なることから、配合試験では、砂質土の乾燥密度を対象地盤と一致させるため、対象地盤の不攪乱試料を採取し、湿潤密度試験と含水比試験を実施し、乾燥密度を算定している。
【０００４】
しかしながら、一般的に砂質土の不攪乱試料採取は、採取率が低く、試料採取が困難であるという問題があった。
【０００５】
そこで、従来では、配合試験の乾燥密度を算定する方法として、対象地盤のＮ値と有効土被り圧から対象地盤の相対密度を仮定し、その相対密度に対応する乾燥密度を設定することが知られている。
【０００６】
その際、乾燥密度は、配合試験試料の最小密度・最大密度試験(ＪＩＳ  Ａ  １２２４)（以下、ＪＩＳ法という）の結果から設定する方法が考えられる。
【０００７】
しかしながら、ＪＩＳ法の適用範囲は、細粒分含有率Ｆｃ≦５％となっており、細粒分含有率が高い砂質土は適用範囲外であり、細粒分含有率Ｆｃ＞５％の砂質土で試験を行った場合、砂質土が緩い状態即ち、十分に締まった状態とならない場合が多い。
【０００８】
仮定した相対密度に対応する乾燥密度を算定するためには、最小密度と最大密度が必要であり、砂質土においても物理的に作り得る最大密度を計測する方法が必要となる。
【０００９】
そこで、物理的に作り得る最大密度を計測する方法として、突き固めによる土の締固め試験（ＪＩＳ  Ａ  １２１０）（以下、締固め法という）が知られている（例えば、特許文献１を参照）。
【先行技術文献】
【特許文献】
【００１０】
【特許文献１】特開平０９−３８６６号公報
【発明の概要】
【発明が解決しようとする課題】
【００１１】
しかしながら、上述の如き締固め法は、砂質土の最大密度の計測においても適用性が認められているものの、試験を実施するために多くの試料（３ｋｇ×６＝１８ｋｇ）が必要であり、最大密度の計測作業に手間がかかるという問題があった。
【００１２】
そこで、本発明は、このような従来の問題に鑑み、少量の試料で簡易に砂質土の最大密度を計測することができる砂質土の最大密度計測方法の提供を目的としてなされたものである。
【課題を解決するための手段】
【００１３】
上述の如き従来の問題を解決するための請求項1に記載の発明の特徴は、試料用砂質土の質量を計測するとともに、締め固めた前記試料用砂質土の体積を計測し、前記試料用砂質土の質量及び体積から前記試料用砂質土の最大密度を求める砂質土の最大密度計測方法において、前記試料用砂質土を投入した容器に遠心力を作用させて前記試料用砂質土を容器内で締固めることにある。
【発明の効果】
【００１４】
本発明に係る砂質土の最大密度計測方法は、請求項１に記載の構成を具備することによって、物理的に作り得る最大密度を少量の試料で簡易に把握することができる。
【図面の簡単な説明】
【００１５】
【図１】本発明に係る砂質土の最大密度計測方法を使用した相対密度に対応した乾燥密度算定方法の手順を示すフローチャートである。
【図２】本発明に係る砂質土の最大密度計測方法の手順を示すフローチャートである。
【図３】図１中の容器を示す断面図であって、（a）は締め固める前の状態、（ｂ）は締め固めた後の状態を示す図である。
【図４】本発明に係る砂質土の締固め作業の概略を説明するための平面図、（ｂ）同断面図である。
【図５】ＪＩＳ法、締固め法及び遠心法を用いて算定した乾燥密度と含水比の関係を示すグラフである。
【発明を実施するための形態】
【００１６】
次に、本発明に係る砂質土の最大密度計測方法の実施態様を図１〜図５に示した実施例に基づいて説明する。
【００１７】
図１は、配合試験の乾燥密度ρｄを決定する方法の手順を示し、対象地盤のＮ値と有効土被り圧から対象地盤の相対密度Ｄｒを仮定し、その相対密度Ｄｒに対応する乾燥密度ρｄを本発明に係る砂質土の最大密度計測方法（以下、遠心法という）によって求められた最大密度ρｄｍａｘを用いて設定するようになっている。
【００１８】
尚、ここで砂質土とは、粗粒分＞５０％、且つ、砂分≧礫分のものをいい、細粒分含有率が５０％未満であれば砂質土に分類される可能性がある。
【００１９】
配合試験の乾燥密度ρｄを決定するには、先ず、対象地盤のＮ値及び土被り圧を計測し、そのＮ値や土被り圧より相対密度Ｄｒを仮定する。
【００２０】
次に、対象地盤の攪乱試料を採取し、この採取した試料を用いて砂質土の最小密度ρｄｍｉｎ及び最大密度ρｄｍａｘを計測する。
【００２１】
最小密度ρｄｍｉｎの計測は、例えば、既知の配合試験試料の最小密度・最大密度試験(ＪＩＳ  Ａ  １２２４)（以下、ＪＩＳ法という）によって行う。
【００２２】
このＪＩＳ法による最小密度ρｄｍｉｎの計測は、先ず、規定された体積のモールドの質量ｍｄ１を予め計測しておき、そのモールドの底面中央に規定された漏斗を立て、漏斗内に試料を投入する。
【００２３】
そして、漏斗を一定の速度で鉛直方向に持ち上げ、２０〜３０秒でモールドの上端面全周から試料を溢れさせる。
【００２４】
次に、モールドの上端面の縁に直ナイフを乗せ、素早く滑らせて試料の余盛部分を取り除く。
【００２５】
そして、この状態の試料とモールドの質量ｍ１を測定し、以下の式より最小密度ρｄｍｉｎを算出する。
【数１】
2020100954.tif 000003
そして、この最小密度ρｄｍｉｎの計測を複数回行う。
【００２６】
次に、本発明に係る遠心法の具体的な手順を説明する。尚、図中符号１は、計測に用いる容器である。
【００２７】
この容器１は、有底筒状の透明なプラスチック容器であって、一般に市販されている小型の遠心機に適用可能なものを使用する。尚、図中符号２はキャップである。
【００２８】
先ず、事前に容器１の質量ｍｄ２を計測した後、図３（ａ）に示すように、対象地盤より採取した試料用砂質土３を容器１に投入し、試料用砂質土３及び容器１の合計質量ｍ２を計測する。
【００２９】
また、この作業を繰り返し、容器１に試料用砂質土３を投入したものを複数作成してもよい（本実施例では、１回につき６検体）。
【００３０】
次に、各容器１の上端をキャップ２で閉鎖し、図４に示すように、この容器１を遠心機のローター４に底部を外側及び下に向けて放射状に設置する。尚、図中符号５は遠心機の回転軸であって、図示しない電動機等の動力によってローター４が回転軸５回りに高速回転するようになっている。
【００３１】
そして、遠心機のローター４を所定の遠心加速度（本実施例では３０００Ｇ）によって一定時間（１０分）回転させ、試料用砂質土３を投入した各容器１に遠心力を作用させて試料用砂質土３を締固め、図３（ｂ）に示すように、物理的に作り得る最大密度ρｄｍａｘの試料を作成する。
【００３２】
次に、容器１を遠心機より取り出し、締固め後の試料用砂質土３の高さ、即ち、上端面６の位置を計測するとともに、その上端面６の位置を容器１に記入する。
【００３３】
尚、本実施例においては、容器１を遠心機のローター４に対し斜め向きに設置するため、締固め後の試料用砂質土３の上端面６は、容器１に対して傾いた状態となり、上端面６の位置を容器１に記入する際は、その傾斜した状態にあわせて記入する。
【００３４】
その後、容器１より試料用砂質土３を取り出し、しかる後、容器１内の記入された試料用砂質土３の上端面６の高さまで水を入れ、その水量から締固め後の試料用砂質土３の体積Ｖ２を計測する。
【００３５】
尚、遠心機には、遠心力の上昇とともに容器１が水平になる装置も使用されており、この装置を使用することによって、容器１が遠心方向に向けられた状態で回転するので、締固め後の試料用砂質土３の上端面６が略水平となる。よって、試料用砂質土３の上端面６の位置を水平に容器１に記入することができ、試料用砂質土３の体積Ｖ２の計測を高い精度で行うことができる。
【００３６】
そして、以下の式より最大密度ρｄｍａｘを算出する。
【数２】
2020100954.tif 000004
【００３７】
そして、相対密度Ｄｒは、次式で定義されるので、仮定された相対密度Ｄｒ、最小密度ρｄｍｉｎ、最大密度ρｄｍａｘから乾燥密度ρｄを算出することができる。
【数３】
2020100954.tif 000005
【００３８】
次に、遠心法を用いて計測された最大密度ρｄｍａｘの効果について検討する。
【００３９】
細粒分含有率Ｆｃがそれぞれ３９．９％、３４．９％の砂質土を使用し、遠心法によって乾燥密度ρｄを算定した結果を表１に示す。尚、試験は、１ケースにつき３本実施し，その平均値を示している。
【００４０】
【表１】
2020100954.tif 000006
【００４１】
また、上記の乾燥密度ρｄの算出に併せて行ったＪＩＳ法、突き固めによる土の締固め試験（ＪＩＳ  Ａ  １２１０）（以下、締固め法という）及び遠心法の各方法によって算出した最大密度ρｄｍａｘの計測結果を比較した結果を表２に示す。
【００４２】
【表２】
2020100954.tif 000007
【００４３】
さらに、図５は、ＪＩＳ法、締固め法及び遠心法を用いて算定した乾燥密度ρｄと含水比の関係を示している。
【００４４】
表２に示すように、遠心法によって計測した最大密度ρｄｍａｘは、ＪＩＳ法による場合に対し約１．２倍となっており、細粒分含有率Ｆｃ＞３０％の砂質土の場合においても締固め法と同等又はそれ以上の結果が得られた。
【００４５】
また、図５に示すように、締固め法及び遠心法は、ＪＩＳ法に比べて最大乾燥密度ρｄが大きくなり、含水比による影響も同じような傾向を示している。
【００４６】
よって、本発明に係る遠心法は、砂質土の最大密度を計測する方法として、物理的に作り得る最大密度を少量の試料で簡易に把握することができる。
【００４７】
尚、使用する遠心機の態様は、上述の実施例に限定されるものではなく、容器１に遠心力を作用させることができるものであればどのような態様であってもよい。
【００４８】
また、試料用砂質土を投入した容器１に遠心力を作用させる条件は、上述の実施例に限定されず、状況に応じて遠心加速度及び回転時間を自由に設定することができる。
【符号の説明】
【００４９】
１  容器
２  キャップ
３  試料用砂質土
４  ローター
５  回転軸
６  上端面位置
【図１】
2020100954.tif 000008
【図２】
2020100954.tif 000009
【図３】
2020100954.tif 000010
【図４】
2020100954.tif 000011
【図５】
2020100954.tif 000012